(57)【特許請求の範囲】
【請求項１】
光ディスクの記録特性に応じて記録用レーザビームのレーザパワーを調整し、複数のパルスからなるパルストレインでデータの記録を行う光ディスク装置であって、
記録信号に基づくパルストレインで発光素子を駆動して記録用光ビームを出射させる発光駆動手段と、
前記光ディスクからの反射光量レベルを検出する反射光量検出手段と、
前記反射光量レベルと所定の閾値とを比較して前記反射光量レベルが閾値を越える期間を判定する比較手段と、
前記パルストレインの先頭パルスの立ち下がりを前記反射光量レベルが閾値を越える期間に応じて可変制御するパルス幅制御手段とを
有することを特徴とする光ディスク装置。
【請求項２】
請求項１記載の光ディスク装置において、
前記閾値は、光ディスクの記録特性に応じた最適記録パワーを設定する記録パワー設定動作で設定された最適記録パワーに対応する反射光量レベルであることを特徴とする光ディスク装置。
【請求項３】
請求項２記載の光ディスク装置において、
前記パルス幅制御手段は、前記記録パワー設定動作時に、前記パルストレインの先頭パルスのパルス幅を所定値に固定することを特徴とする光ディスク装置。
【発明の詳細な説明】
【０００１】
【発明の属する技術分野】
本発明は光ディスク装置に関し、特に、光ディスクにデータ記録を行うことが可能な光ディスク装置に関する。
【０００２】
【従来の技術】
データ記録が可能な記録型の光ディスクには、ＣＤ−ＲやＤＶＤ−Ｒ等の追記型（ＷｒｉｔｅＯｎｃｅ）の光ディスクと、ＣＤ−ＲＷ等の書き換え可能型（Ｅｒａｓａｂｌｅ）の光ディスクとがある。
図６は従来のデータ記録を行うことが可能な光ディスク装置の一例のブロック図を示す。同図中、スピンドルモータ１０は光ディスク１２を所定の回転速度で回転駆動する。スレッドモータ１４は光ピックアップ１６をディスク半径方向に移動させる。光ピックアップ１６は光学系対物レンズ、アクチュエータ、1/4 波長板、コリメータレンズ、ビームスプリッタ、発光素子（レーザダイオード）、受光素子（光検出器）等から構成されている。
【０００３】
レーザドライバ１８はレーザダイオードを発光させ、レーザビームを出力させる。フロントモニタ２０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）２２はフロントモニタ２０の出力に基づいてレーザビームのパワーが最適となるようにレーザドライバを制御する。
【０００４】
ウォブル信号処理部２４はＡＴＩＰ信号の復調処理を行う。なお、記録型の光ディスクにはガイド用のプリグルーブ（溝）が設けられている。プリグルーブは例えば中心周波数２２．０５ｋＨｚで極僅かにラジアル方向にウォブル（蛇行）しており、ＡＴＩＰ（Ａｂｓｏｌｕｔｅ  ＴｉｍｅＩｎ  Ｐｒｅｇｒｏｏｖｅ）と呼ばれる記録時のアドレス情報や、回転サーボ用の同期信号及び各種制御信号が、最大偏位±１ｋＨｚでＦＳＫ変調により多重されて記録されている。
【０００５】
ＲＦアンプ２６は再生信号を増幅するヘッドアンプである。このＲＦアンブ２６は、マトリクスアンプを含むものであり、主信号の他に各種サーボ信号を取り出して各サーボ回路に出力する。フォーカス／トラッキングサーボ回路２８はアクチュエータを駆動し、フォーカスサーボ及びトラッキングサーボの制御を行う。送りサーボ回路３０はスレッドモータ１４を駆動制御する。スピンドルサーボ回路３２はスピンドルモータ１０を駆動制御する。
【０００６】
ＣＤエンコード／デコード回路３４はＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のエンコード／デコード、及びＥＦＭ（Ｅｉｇｈｔ  ｔｏ  Ｆｏｕｒｔｅｅｎ  Ｍｏｄｕｌａｔｉｏｎ）変調／復調、及び同期検出等の処理を行う。記録補償回路３６はＣＤエンコード／デコード回路３４から送られてくる記録データに対し、メディアの記録時の特性に合わせたデータ補正処理を行う。このときの補正量は記録層の特性、記録レーザビームのプロファイル、記録を行う線速度等により変化する。
【０００７】
ＣＤ−ＲＯＭエンコード/ デコード回路３８はＣＤ−ＲＯＭ固有のＥＣＣ（Ｅｒｒｏｒ  Ｃｏｒｒｅｃｔ  Ｃｏｄｅ）のエンコード／デコード、及びヘッダの検出等の処理を行う。インタフェース／バッファコントローラは４０はホストコンピュータとの間のデータの送受、及びデータバッファの制御を行う。ＲＡＭ３９，４１はデータ処理を行うためにデータを一時格納するための補助メモリである。
【０００８】
ＣＰＵ４２はメカ動作を含む装置全体の制御を司るマイクロコンピュータである。Ｄ／Ａコンバータ４６はＣＤエンコード／デコード回路３４から送出されるオーディオデータをアナログ信号に変換する。オーディオアンプ４８はアナログ変換されたオーディオ信号を増幅して出力する。
ＣＤ−ＲＷ等の書き換え可能型の光ディスク装置では、データの記録の際に正確な信号記録領域を形成するために、下記のような工夫がなされている。
【０００９】
（１）記録パルス幅の設定。記録データは、ＥＦＭ変調されて３Ｔ〜１１Ｔ（Ｔは標準速度（１倍速）にて周波数４．３２ＭＨｚの１周期で約２３６ｍｓｅｃ）のパルス幅で記録されるが、記録パルス幅にあった正確な記録を行うために、ディスク毎に最適なストラテジ( 記録光パルス幅）を設定する。この情報は、ディスクに参照値として予め記録される。
【００１０】
（２）記録パワーの設定（ＯＰＣ）。ＯＰＣ（Ｏｐｔｉｍｕｍ  Ｐｏｗｅｒ  Ｃｏｎｔｒｏｌ）は、記録時のレーザビームのパワーを最適にするために考えられたもので、ディスクの中心部のＰＣＡ（Ｐｏｗｅｒ  ＣａｌｉｂｒａｔｉｏｎＡｒｅａ）において、レーザパワーを段階的に１５ステップ変化させてテスト信号を記録した後、その部分を再生してＲＦ信号のエンベロープのピークとボトムの差電圧（Ａ）を検出し、上記ＲＦ信号のエンベロープのピークとディスク無しのレベルとの差電圧（Ｂ）とから、変調度ｍ（ｍ＝Ａ／Ｂ）を得る。
【００１１】
１５段階それぞれの変調度をｍ1 〜ｍ15を求め、これらの各変調度に対応する記録パワーをＰJ 、Ｊ＝１〜１５として、次式により各段階のγJ を得る。
0004136222.tif 000002
そして、γJ が予め決められた所定値（例えば０．５〜２．０）に最も近い段階の記録パワーを最適記録パワーとして設定する。
【００１２】
（３）ランニングＯＰＣ。記録時におけるディスクからの反射光量( 戻り光量に基づいて、記録パワーが最適となるように常時記録パワーを補正する。
【００１３】
【発明が解決しようとする課題】
ＣＤ−ＲＷ等の書き換え可能型の光ディスク装置では、記録パルス幅内で、消去パワーを中心とし、それより波高値の高い記録パワーと、それより波高値の低い再生パワーとを繰り返すパルストレインを発生して、このパルストレインによってレーザダイオードを駆動して信号記録を行っている。
【００１４】
現在の光ディスク装置においては、上記パルストレインの先頭の記録パワーのパルス幅は、２番目以降の記録パワーのパルス幅に対して略２倍（標準速度で０．５Ｔ程度）とされ、一定の値に固定されている。
記録がなされない区間である記録パルス間隔が適正な間隔に維持されている場合は、レーザビームの記録パワー及び未記録区間でのディスク表面の冷却時間のバランスが取れて、最適な記録が形成される。
【００１５】
しかし、記録パルス列の各パルス間隔は一定ではなく、パルス間隔が短いときもあれば長いときもある。このため、パルス間隔が短い場合には、記録パワーがオフになった後、ディスク表面が冷却されないうちに、再びレーザビームの記録パワーがオンとなって信号記録を始めるので、ディスク上の信号記録部分の温度が通常よりも速く上昇し、信号が記録され始めるまでの時間が短くなる。しかし、パルストレインの先頭及び２番目以降の記録パワーのパルス幅が固定のため、信号記録領域は最適な領域に比べて幅が広く深いものになり、反射光量も少なくなる。
【００１６】
また、パルス間隔が長い場合には、記録パワーがオフになってから再びレーザビームの記録パワーがオンになるまでの間に、ディスク表面が完全に冷却されてしまうことから、ディスク上の信号記録部分の温度が直ぐに上昇せず、信号記録時間が長くなる。しかし、パルストレインの先頭及び２番目以降の記録パワーのパルス幅が固定のため、形成される領域は適正な領域に比べて幅が狭く浅いものになり、反射光量も多くなる。このように、各パルス間隔が一定でない記録パルス列データを記録する場合、形成される信号記録領域の大きさがパルス間隔によって変化してしまい、安定した信号記録領域を形成できないという問題があった。
【００１７】
本発明は、上記の点に鑑みなされたもので、記録パルス幅及びパルス間隔によらず、一定の大きさの信号記録領域を形成することができ、また、光ディスクの感度ムラを補償することができる光ディスク装置を提供することを目的とする。
【００１８】
【課題を解決するための手段】
請求項１の本発明では、光ディスクの記録特性に応じて記録用レーザビームのレーザパワーを調整し、複数のパルスからなるパルストレインでデータの記録を行う光ディスク装置であって、記録信号に基づくパルストレインで発光素子を駆動して記録用光ビームを出射させる発光駆動手段と、前記光ディスクからの反射光量レベルを検出する反射光量検出手段と、前記反射光量レベルと所定の閾値とを比較して前記反射光量レベルが閾値を越える期間を判定する比較手段と、前記パルストレインの先頭パルスの立ち下がりを前記反射光量レベルが閾値を越える期間に応じて可変制御するパルス幅制御手段とを有する。
【００１９】
このように、反射光量レベルが閾値を超える期間に基づきパルストレインの先頭パルスの立ち下がりを可変制御することにより、記録パルス幅及びパルス間隔によらず、一定の大きさの信号記録領域を形成することができる。
【００２０】
また、請求項２に記載の発明は、請求項１記載の光ディスク装置において、閾値は、光ディスクの記録特性に応じた最適記録パワーを設定する記録パワー設定動作で設定された最適記録パワーに対応する反射光量レベルを設定する。
このため、光ディスクの記録特性に応じた反射光量レベルを閾値として設定して、光ディスクの感度ムラを補償することができる。
【００２１】
また、請求項３に記載の発明は、請求項２記載の光ディスク装置において、パルス幅制御手段は、前記記録パワー設定動作時に、前記パルストレインの先頭パルスのパルス幅を所定値に固定する。
【００２２】
このように、記録パワー設定動作時に、パルストレインの先頭パルスのパルス幅を所定値に固定するため、光ディスクの記録特性に応じた反射光量レベルを閾値として設定することができる。
【００２３】
【発明の実施の形態】
図１は、本発明の光ディスク装置の一実施例のブロック図を示す。同図中、図６と同一部分には同一符号を付す。図１において、スピンドルモータ１０はＣＤ−ＲＷ等の書き換え可能型の光ディスク１２を所定の回転速度で回転駆動する。スレッドモータ１４は光ピックアップ１６をディスク半径方向に移動させる。光ピックアップ１６は光学系対物レンズ、アクチュエータ、1/4 波長板、コリメータレンズ、ビームスプリッタ、発光素子（レーザダイオード）、受光素子（光検出器）等から構成されている。
【００２４】
レーザドライバ１８はレーザダイオードを発光させ、レーザビームを出力させる。フロントモニタ２０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）２２はフロントモニタ２０の出力に基づいてレーザビームのパワーが最適となるようにレーザドライバを制御する。
【００２５】
パルス幅制御回路５０は、光ディスク１２からの反射光量（戻り光量）レベルと閾値とを比較して、その比較結果に応じて記録用パルストレインの先頭パルスのパルス幅の制御を行う。
ウォブル信号処理部２４はＡＴＩＰ信号の復調処理を行う。なお、記録型の光ディスクにはガイド用のプリグルーブ（溝）が設けられている。プリグルーブは例えば中心周波数２２．０５ｋＨｚで極僅かにラジアル方向にウォブル（蛇行）しており、ＡＴＩＰ（Ａｂｓｏｌｕｔｅ  ＴｉｍｅＩｎ  Ｐｒｅｇｒｏｏｖｅ）と呼ばれる記録時のアドレス情報や、回転サーボ用の同期信号及び各種制御信号が、最大偏位±１ｋＨｚでＦＳＫ変調により多重されて記録されている。
【００２６】
ＲＦアンプ２６は再生信号を増幅するヘッドアンプである。このＲＦアンブ２６は、マトリクスアンプを含むものであり、主信号の他に各種サーボ信号を取り出して各サーボ回路に出力する。フォーカス／トラッキングサーボ回路２８はアクチュエータを駆動し、フォーカスサーボ及びトラッキングサーボの制御を行う。送りサーボ回路３０はスレッドモータ１４を駆動制御する。スピンドルサーボ回路３２はスピンドルモータ１０を駆動制御する。
【００２７】
ＣＤエンコード／デコード回路３４はＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のエンコード／デコード、及びＥＦＭ（Ｅｉｇｈｔ  ｔｏ  Ｆｏｕｒｔｅｅｎ  Ｍｏｄｕｌａｔｉｏｎ）変調／復調、及び同期検出等の処理を行う。記録補償回路３６はＣＤエンコード／デコード回路３４から送られてくる記録データに対し、メディアの記録時の特性に合わせたデータ補正処理を行う。このときの補正量は記録層の特性、記録レーザビームのプロファイル、記録を行う線速度等により変化する。
【００２８】
ＣＤ−ＲＯＭエンコード/ デコード回路３８はＣＤ−ＲＯＭ固有のＥＣＣ（Ｅｒｒｏｒ  Ｃｏｒｒｅｃｔ  Ｃｏｄｅ）のエンコード／デコード、及びヘッダの検出等の処理を行う。インタフェース／バッファコントローラは４０はホストコンピュータとの間のデータの送受、及びデータバッファの制御を行う。ＲＡＭ３９，４１はデータ処理を行うためにデータを一時格納するための補助メモリである。
【００２９】
ＣＰＵ４２はメカ動作を含む装置全体の制御を司るマイクロコンピュータである。Ｄ／Ａコンバータ４６はＣＤエンコード／デコード回路３４から送出されるオーディオデータをアナログ信号に変換する。オーディオアンプ４８はアナログ変換されたオーディオ信号を増幅して出力する。
図２は、パルス幅制御回路５０及びその周辺回路の一実施例のブロック図を示す。同図中、レーザドライバ１８にはＡＬＰＣ２２から記録パワー、消去パワー、再生パワーが供給され、それぞれレーザドライバ１８を構成するスイッチ１８１，１８２，１８３に供給される。スイッチ１８１，１８２，１８３それぞれはパルス幅制御回路５０内の論理回路５０４から供給されるパルスのハイレベル時にオン、ローレベル時にオフとなるよう制御され、各スイッチの出力するパワーは加算器１８４に供給されて加算される。加算器１８４出力は光ピックアップ１６内のレーザダイオード１６ａに供給され、レーザダイオード１６ａはレーザドライバ１８から供給されるパワー信号のレベルに応じた光強度のレーザ光を出射する。
【００３０】
ＡＬＰＣ２２はフロントモニタ２０の出力に基づいてレーザビームパワーが最適となるように再生パワー、消去パワー、記録パワー（再生時パワー＜消去時パワー＜記録時パワー）それぞれを調整してレーザドライバ１８に供給する。
パルス幅制御回路５０は、Ａ／Ｄ変換器５０１とＤ／Ａ変換器５０２とコンパレータ５０３と論理回路５０４とから構成されている。光ピックアップ１６の受光素子の出力する反射光量レベルはコンパレータ５０３に供給されると共に、Ａ／Ｄ変換器５０１でディジタル化されてＣＰＵ４２に供給されている。コンパレータ５０３はＣＰＵ４２の出力する閾値をＤ／Ａ変換器５０２でアナログ化されて供給されており、コンパレータ５０３は反射光量レベルが閾値を越えたときにハイレベルで、閾値以下のときローレベルとなる信号を生成して論理回路５０４に供給する。
【００３１】
なお、ＣＰＵ４２は、通常の記録時にパルス幅制御回路５０のＤ／Ａ変換器５０２に閾値を供給すると共に、ＡＬＰＣ２２の制御を行う。また、ＯＰＣ実行時には、光ディスクからＡ／Ｄ変換器５０１を介して反射光量データを取り込んでサンプリングし、サンプルデータを基に閾値を設定する。
図３は、論理回路５０４の一実施例のブロック図を示す。また、図４は論理回路５０４各部の信号タイミングチャートを示す。図３において、端子５０５ａ，５０５ｂ，５０５ｃそれぞれにはＣＰＵ４２より、記録モード時にハイレベルを保持する再生パルス、記録モード時のトレインパルス列が供給されない期間である記録パルス間隔で既記録信号を消去するための消去パルス、記録モード時に信号を記録するためのトレインパルス列が供給され、端子５０５ｄにはコンパレータ５０３出力が供給される。
【００３２】
図４（Ａ）に示すような波形の再生パルスは、論理回路５０４内をスルーで端子５０６ａからレーザドライバ１８のスイッチ１８３に供給される。図４（Ｂ）に示すような波形の消去パルスは、論理回路５０４内をスルーで端子５０６ｂからレーザドライバ１８のスイッチ１８２に供給されると共に、Ｄ型フリップフロップ５０８，５０９，５１０それぞれのクリア端子ＣＬに供給される。なお、トレインパルス列は、パルストレイン記録を行うためのもので、先頭パルスのパルス幅が２番目以降のパルスのパルス幅に対して略２倍（標準速度で０．５Ｔ程度）とされ、２番目以降のパルスについてはデューティ比が５０パーセントとされたパルス列である。
【００３３】
図４（Ｃ）に示すような波形のトレインパルス列は、ＡＮＤゲート５０７の一方の入力端子に供給されると共に、マルチプレクサ（ＭＰＸ）５１２の入力端子ａに供給される。更に、図４（Ｄ）に示すような波形のコンパレータ５０３出力は、ＡＮＤゲート５０７の他方の入力端子に供給されると共に、マルチプレクサ（ＭＰＸ）５１２の入力端子ｂに供給される。なお、図４（Ｄ）のコンパレータ５０３出力は、図４（Ｃ）のトレインパルス列の先頭パルスと同一タイミングで立ち上がり、そのパルス幅はＣＰＵ４２の出力する閾値によって設定されている。
【００３４】
ＡＮＤゲート５０７は、トレインパルス列とコンパレータ５０３出力との論理和をとって図４（Ｅ）に示す波形の信号を生成し、フリップフロップ５０８のクロック入力端子Ｃｐに供給すると共に、これを反転した図４（Ｇ）に示す波形の信号をフリップフロップ５０９のクロック入力端子Ｃｐに供給する。フリップフロップ５０８，５０９のデータ入力端子Ｄには常時ハイレベルの信号が供給されており、フリップフロップ５０８はＡＮＤゲート５０７出力の立ち上がりで反転Ｑ出力をローレベルに立ち下げ、消去パルスの立ち上がりで反転Ｑ出力をハイレベルに立ち上げ、図４（Ｆ）に示す波形の反転Ｑ出力をＯＲゲート５１１の一方の入力端子に供給する。
【００３５】
フリップフロップ５０９は図４（Ｇ）に示すＡＮＤゲート５０７の反転出力の立ち上がりでＱ出力をハイレベルに立ち上げ、消去パルスの立ち上がりで反転Ｑ出力をローレベルに立ち下げ、図４（Ｈ）に示す波形のＱ出力をフリップフロップ５１０のデータ入力端子Ｄに供給する。フリップフロップ５１０のクロック入力端子Ｃｐにはトレインパルス列が供給されており、フリップフロップ５１０は図４（Ｈ）に示す信号の立ち上がりで図４（Ｈ）の信号をラッチし、消去パルスの立ち上がりで反転Ｑ出力をローレベルに立ち下げ、図４（Ｉ）に示す波形のＱ出力をＯＲゲート５１１の他方の入力端子に供給する。
【００３６】
これによって、ＯＲゲート５１１は、図４（Ｃ）に示す各トレインパルス列について、先頭パルスの立ち上がりから２番目のパルスの立ち上がりまでローレベルで、そのほかの期間はハイレベルとなる図４（Ｊ）に示す制御信号を生成してマルチプレクサ５１２の制御端子に供給する。マルチプレクサ５１２は制御信号がハイレベルのとき入力端子ａに供給されるトレインパルス列を選択し、制御信号がローレベルのとき入力端子ｂに供給されるコンパレータ５０３出力を選択して出力する。この出力信号は端子５０６ｃからレーザドライバ１８のスイッチ１８１に供給される。
【００３７】
つまり、各トレインパルス列の先頭パルスがコンパレータ５０３出力に置き換えられ、２番目以降のパルスはトレインパルス列そのままとされた、補正トレインパルス列がレーザドライバ１８のスイッチ１８１に供給される。
ＣＰＵ４２にホストコンピュータからの記録コマンドが供給されると、ＣＰＵ４２は図４に示すｔ１時点で再生パルスを論理回路５０４に送出し、レーザドライバ１８のスイッチ１８３をオンさせて、再生パワーをレーザダイオード１６ａに供給する。再生パルスは、データの記録動作中は、常時ハイレベル状態になる。
【００３８】
続いて、ｔ２〜ｔ３期間で消去パルスによってスイッチ１８２をオンとし、消去パワーをレーザダイオード１６ａに供給して光ディスク１２上の既記録データの消去を行った後、トレインパルス列によりスイッチ１８１をオンして記録パワーをレーザダイオード１６ａに供給する。コンパレータ５０３は、光ディスク１２からの反射光量レベルとＣＰＵ４２から供給される閾値とを比較し、反射光量レベルの変化を監視する。
【００３９】
ｔ４時点で反射光量レベルが閾値以下になり、コンパレータ５０３出力がローレベルになると、論理回路５０４はスイッチ１８１をオフにして、記録パワーの供給を停止させる。ｔ５〜ｔ６の期間は、記録パルスによりスイッチ１８１をオン／オフして記録パワーをレーザダイオードに供給し、信号記録領域を形成する。
【００４０】
このような動作を各トレインパルス列毎に行うが、記録パルス間隔（トレインパルス列間の間隔）が短い場合は、ディスク表面が冷却されないうちに、再びレーザビームの記録パワーがオンとなって信号記録領域の形成を始めるので、ディスク上の信号記録領域形成部分の温度が通常よりも速く上昇し信号記録領域形成時間が短くなるので、反射光量レベルが比較的短時間で変化することになり、記録パワーを供給してから反射光量レベルが閾値以下になるまでの期間ｔ７〜ｔ８が短くなる。これによって、トレインパルス列の先頭パルスのパルス幅が短くなるように制御される。
【００４１】
また、記録パルス間隔（トレインパルス列間の間隔）が長い場合、記録パワーがオフになってから再びレーザビームの記録パワーがオンになるまでの間に、ディスク表面が完全に冷却されてしまうことから、ディスク上の信号記録領域形成部分の温度が直ぐに上昇せず、信号記録領域形成時間が長くなるので、反射光量レベルが比較的緩やかに変化することになり、記録パワーを供給してから反射光量レベルが閾値以下になるまでの期間ｔ７〜ｔ８が長くなる。これによって、トレインパルス列の先頭パルスのパルス幅は長くなるように制御される。
【００４２】
本発明では、ＯＰＣ（Ｏｐｔｉｍｕｍ  Ｐｏｗｅｒ  Ｃｏｎｔｒｏｌ）動作時にディスクからの反射光量レベルをサンプリングし、サンプル値を元に閾値を設定する。図５は本発明におけるＣＰＵ４２が実行するＯＰＣ動作のフローチャートを示す。
同図中、ＯＰＣ実行命令が送出されると、ステップＳ１２で段階変数ｎを１に設定し、ステップＳ１４で記録パワーＬＰ（ｎ）を設定する。記録パワーＬＰ（ｎ）はｎが大なるほど大きくなる値である。続いてステップＳ１６にてテスト信号を記録パワーＬＰ（ｎ）で記録する。このとき、トレインパルス列の先頭パルスのパルス幅は２番目以降のパルスのパルス幅の例えば略２倍（標準速度で０．５Ｔ程度）に固定する。
【００４３】
テスト信号の記録中は、ステップＳ１８で光ディスクからの反射光量レベルを監視し、所定位置の反射光量レベルＶｎをサンプリングしてＣＰＵ４２内蔵のメモリに記憶する。反射光量レベルＶｎのサンプリング位置は、トレインパルス列の終了位置とする。その後、ステップＳ２０で段階変数ｎが１５であるか否かを判定し、ｎ＝１５でない場合は、ステップＳ２２で段階変数ｎを１だけインクリメントしてステップＳ１４に進み、ステップＳ１４〜Ｓ２２を繰り返す。
【００４４】
１５ステップの記録パワーによるテスト信号の記録が終了すると、ステップＳ２０からステップＳ２４に進み、記録したテスト信号を再生する。そして、ステップＳ２６で各記録パワー毎のＲＦ信号のエンベロープのピーク値（Ｐ）とボトム値（Ｂ）をサンプリングする。次に、ステップＳ２７で次式により変調度ｍ（ｍ＝Ａ／Ｂ）を算出する。
【００４５】
ステップＳ２８では、１５段階それぞれの変調度をｍ1 〜ｍ15を求め、これらの各変調度に対応する記録パワーをＰJ 、Ｊ＝１〜１５として、次式により各段階のγJ を得る。
0004136222.tif 000003
ステップＳ３０では、γJ が予め決められた所定値（例えば０．５〜２．０）に最も近い段階の記録パワーを、装着した光ディスクの最適記録パワーとして設定する。そして、ステップＳ３２でサンプリングした各記録パワーの反射光量レベルＶｎ（ｎ＝１〜１５）の中で、最適記録パワーとして設定された記録パワーの反射光量レベルＶＢｎを閾値として設定し、この処理を終了する。
【００４６】
なお、反射光量レベルＶｎのサンプリングは、反射光量レベルが直前のランド部の長さ（３Ｔ〜１１Ｔ）によりばらつきが生じるため、特定の長さの範囲の信号記録領域の後でのみ行う方が動作を安定させることができる。
本発明においては、パルストレインの先頭パルスのパルス幅を反射光量レベルに応じて可変制御するので、記録パルス幅及びパルス間隔によらず、一定の大きさの信号記録領域を形成することができる。また、閾値は、光ディスクの記録特性に応じた最適光パワーを設定するＯＰＣ動作時に最適光パワーに対応する反射光量レベルを設定するため、光ディスクの記録特性に応じた反射光量レベルを閾値として設定して光ディスクの感度ムラを補償することができる。
【００４７】
上記実施例は、ＣＤ−ＲＷ等の書き換え可能型の光ディスクを記録可能な光ディスク装置であるが、パルストレイン方式の記録を行うものであればＣＤ−ＲやＤＶＤ−Ｒ等の追記型の光ディスクを記録可能な光ディスク装置にも適応することができ、上記実施例に限定されない。
なお、ＣＤ−ＲＷは記録媒体が相変化媒体であり、記録中の記録の深さによる反射率の変化があまりないため、反射光量レベルの変化をそのままコンパレータ５０３で判定しても正常に動作しないおそれがある。従って、本発明をＣＤ−ＲＷに適用する場合には、コンパレータ５０３をトレインパルス列の出力時にイネーブルとし、消去パルスの出力時にディスエーブルとするように、ＣＰＵ４２により制御するのが望ましい。
【００４８】
なお、レーザドライバ１８が請求項記載の発光駆動手段に対応し、光ピックアップ１６が反射光量検出手段に対応し、パルス幅制御回路５０がパルス幅制御手段に対応し、コンパレータ５０３が比較手段に対応し、論理回路５０４がパルス幅制限手段に対応する。
【００４９】
【発明の効果】
上述の如く、請求項１に記載の発明は、光ディスクの記録特性に応じて記録用レーザビームのレーザパワーを調整し、複数のパルスからなるパルストレインでデータの記録を行う光ディスク装置であって、記録信号に基づくパルストレインで発光素子を駆動して記録用光ビームを出射させる発光駆動手段と、前記光ディスクからの反射光量レベルを検出する反射光量検出手段と、前記反射光量レベルと所定の閾値とを比較して前記反射光量レベルが閾値を越える期間を判定する比較手段と、前記パルストレインの先頭パルスの立ち下がりを前記反射光量レベルが閾値を越える期間に応じて可変制御するパルス幅制御手段とを有する。
【００５０】
このように、反射光量レベルが閾値を超える期間に基づきパルストレインの先頭パルスの立ち下がりを可変制御することにより、記録パルス幅及びパルス間隔によらず、一定の大きさの信号記録領域を形成することができる。
【００５１】
また、請求項２に記載の発明は、請求項１記載の光ディスク装置において、閾値は、光ディスクの記録特性に応じた最適記録パワーを設定する記録パワー設定動作で設定された最適記録パワーに対応する反射光量レベルを設定する。
このため、光ディスクの記録特性に応じた反射光量レベルを閾値として設定して、光ディスクの感度ムラを補償することができる。
【００５２】
また、請求項３に記載の発明は、請求項２記載の光ディスク装置において、パルス幅制御手段は、前記記録パワー設定動作時に、前記パルストレインの先頭パルスのパルス幅を所定値に固定する。
【００５３】
このように、記録パワー設定動作時に、パルストレインの先頭パルスのパルス幅を所定値に固定するため、光ディスクの記録特性に応じた反射光量レベルを閾値として設定することができる。
【図面の簡単な説明】
【図１】本発明の光ディスク装置の一実施例のブロック図である。
【図２】パルス幅制御回路５０及びその周辺回路の一実施例のブロック図である。
【図３】論理回路５０４の一実施例のブロック図である。
【図４】論理回路５０４各部の信号タイミングチャートである。
【図５】本発明におけるＣＰＵ４２が実行するＯＰＣ動作のフローチャートである。
【図６】従来の光ディスク装置の一例のブロック図である。
【符号の説明】
１０  スピンドルモータ
１２  光ディスク
１４  スレッドモータ
１６  光ピックアップ
１８  レーザドライバ
２０  フロントモニタ
２２  ＡＬＰＣ
２４  ウォブル信号処理部
２６  ＲＦアンプ
２８  フォーカス／トラッキングサーボ回路
３０  送りサーボ回路
３２  スピンドルサーボ回路
３４  ＣＤエンコード／デコード回路
３６  記録補償回路
３８  ＣＤエンコード／デコード回路
４０  インタフェース／バッファコントローラ
４２  ＣＰＵ
４６  Ｄ／Ａコンバータ
４８  オーディオアンプ
５０  パルス幅制御回路
５０１  Ａ／Ｄ変換器
５０２  Ｄ／Ａ変換器
５０３  コンパレータ
５０４  論理回路
５０７  ＡＮＤゲート
５０８〜５１０  Ｄ型フリップフロップ
５１１  ＯＲゲート
５１２  マルチプレクサ
【図１】
0004136222.tif 000004
【図２】
0004136222.tif 000005
【図３】
0004136222.tif 000006
【図４】
0004136222.tif 000007
【図５】
0004136222.tif 000008
【図６】
0004136222.tif 000009